(57)【要約】【課題】連続紙の搬送停止時に連続紙の画像形成部への接触を防ぎ、その際の連続紙からのインクの付着や、付着したインクの連続紙への再付着を抑制する。【解決手段】インクジェット記録装置１の異常発生時や停電時には、押え部材３ｄ，３ｅが折り返しローラ３ａ，３ｂに圧接される。これにより、押え部材３ｅが法線方向から圧接して回転が規制された折り返しローラ３ｂと押え部材３ｅとでロール紙９がニップされ、ニップされたロール紙９の搬送方向への移動が規制される。また、押え部材３ｄが接線方向から圧接して反時計回り方向に回転された折り返しローラ３ａと押え部材３ｄとでロール紙９がニップされ、ニップされたロール紙９がロール紙収容部７への巻き戻し方向に移動される。よって、異常発生時や停電時にも、折り返しローラ３ａ，３ｂ間のロール紙９には、折り返しローラ３ａの回転による張力Ｔが生じ、ロール紙９が弛みなく緊張した状態に保持される。【選択図】図２
2019177506.tif 000002
【特許請求の範囲】
【請求項１】
連続紙の一方の面に画像を形成する画像形成部と、
前記連続紙の搬送方向に前記画像形成部を挟んで所定間隔を置いた２か所を、ぞれぞれ前記連続紙の他面側から支持しながら前記連続紙を搬送させる２つのローラと、
前記連続紙の搬送が停止した場合に、前記２つのローラのうち少なくとも１つのローラと共に前記連続紙をニップした後、該連続紙のニップした箇所が前記２つのローラのうち他の１つのローラから離間する少なくとも１つの可動ニップ部と、
を備える画像形成装置。
【請求項２】
連続紙の一方の面に画像を形成する画像形成部と、
前記連続紙の搬送方向に前記画像形成部を挟んで所定間隔を置いた２か所を、ぞれぞれ前記連続紙の他面側から支持しながら前記連続紙を搬送させる２つのローラと、
前記連続紙の搬送が停止した場合に、前記連続紙の搬送方向に直交する方向から前記連続紙に接触し、前記２つのローラのうち少なくとも１つのローラと共に前記連続紙をニップして、該連続紙のニップ箇所に静置される静置ニップ部と、
を備える画像形成装置。
【請求項３】
連続紙の一方の面に画像を形成する画像形成部と、
前記連続紙の搬送方向に前記画像形成部を挟んで所定間隔を置いた２か所を、ぞれぞれ前記連続紙の他面側から支持しながら前記連続紙を搬送させる２つのローラと、
前記連続紙の搬送が停止した場合に、前記２つのローラのうち１つのローラと共に前記連続紙をニップした後、該連続紙のニップした箇所が前記２つのローラのうち他の１つのローラから離間する可動ニップ部と、
前記連続紙の搬送が停止した場合に、前記連続紙の搬送方向に直交する方向から前記連続紙に接触し、前記他の１つのローラと共に前記連続紙をニップして、該連続紙のニップ箇所に静置される静置ニップ部と、
を備える画像形成装置。
【請求項４】
前記可動ニップ部は、前記連続紙をニップした後に回転しながら前記他の１つのローラから離間する請求項１又は３記載の画像形成装置。
【発明の詳細な説明】
【技術分野】
【０００１】
本発明は、連続紙に画像を形成する画像形成装置に関する。
【背景技術】
【０００２】
帯状の長尺な連続紙の搬送経路上で、インクジェットヘッドのノズルから吐出したインクにより画像を印刷するインクジェット記録装置が知られている。
【０００３】
この種のインクジェット記録装置においては、停電や故障の発生等により連続紙の搬送が異常停止されると、搬送部による連続紙への張力の付与が不十分となる可能性がある。連続紙に十分な張力が付与されなくなると、インクジェットヘッドのノズル面の下方に位置する連続紙に弛みが生じてノズル面に接触する。
【０００４】
弛んだ連続紙がインクジェットヘッドのノズル面に接触すると、インクジェットヘッドの破損や印刷不良の原因となる。
【０００５】
そこで、本出願人は、連続紙の搬送が異常停止されたときに、インクジェットヘッドの脇に待機させた押え部材を下動させ、インクジェットヘッドのノズル面の下方に位置する連続紙の印刷面を押し下げる構成を、過去に提案している。
【０００６】
この構成によれば、搬送の異常停止により連続紙が撓んでも、インクジェットヘッドのノズル面から連続紙を確実に離間させて、連続紙のノズル面への接触を防ぐことができる（例えば、特許文献１）。
【先行技術文献】
【特許文献】
【０００７】
【特許文献１】特開２０１７−７１３４号公報
【発明の概要】
【発明が解決しようとする課題】
【０００８】
上述した提案の構成において、印刷後の連続紙の印刷面を押し下げる押え部材に、印刷面の乾ききっていないインクが付着すると、押え部材のインクが連続紙の印刷面に再付着して印刷面の画像の画質を劣化させる可能性がある。
【０００９】
このような問題は、インクジェット方式の画像形成装置に限らず、例えば、電子写真方式、サーマルヘッド方式、孔版印刷方式等の、インクジェット方式以外の方式による画像形成装置においても、同様に発生する可能性がある。
【００１０】
本発明は前記事情に鑑みなされたもので、本発明の目的は、連続紙の搬送の異常停止時に連続紙の画像形成部への接触を防ぐと共に、連続紙の画像形成部への接触を防ぐ際に、連続紙からのインクの付着や、付着したインクの連続紙への再付着を抑制することができる画像形成装置を提供することにある。
【課題を解決するための手段】
【００１１】
上記目的を達成するために、本発明の一つの態様による画像形成装置は、
連続紙の一方の面に画像を形成する画像形成部と、
前記連続紙の搬送方向に前記画像形成部を挟んで所定間隔を置いた２か所を、ぞれぞれ前記連続紙の他面側から支持しながら前記連続紙を搬送させる２つのローラと、
前記連続紙の搬送が停止した場合に、前記２つのローラのうち少なくとも１つのローラと共に前記連続紙をニップした後、該連続紙のニップした箇所が前記２つのローラのうち他の１つのローラから離間する可動ニップ部と、
を備える。
【発明の効果】
【００１２】
本発明によれば、連続紙の搬送の異常停止時に連続紙の画像形成部への接触を防ぐと共に、連続紙の画像形成部への接触を防ぐ際に、連続紙からのインクの付着や、付着したインクの連続紙への再付着を抑制することができる。
【図面の簡単な説明】
【００１３】
【図１】本発明の一実施形態に係るライン型インクジェット記録装置の概略構成を示す説明図である。
【図２】図１のヘッド下搬送部の各折り返しローラに対する押え部材の接離の状態を示す説明図である。
【図３】図１のロール紙の搬送中におけるロール紙の搬送方向における上流側の折り返しローラに対応する押え部材の状態を示す説明図である。
【図４】図１のロール紙の搬送停止中におけるロール紙の搬送方向における上流側の折り返しローラに対応する押え部材の状態を示す説明図である。
【図５】図１のロール紙の搬送停止に伴い移動した図４の各押え部材が対応する各折り返しローラに接触した状態を示す説明図である。
【図６】図１のライン型インクジェット記録装置の制御系の構成を示すブロック図である。
【図７】図６の制御ユニットのＣＰＵがＲＯＭに格納されたプログラムにしたがって行うロール紙の弛み防止に関する処理の手順の一例を示すフローチャートである。
【図８】本発明の他の実施形態に係るライン型インクジェット記録装置における各ヘッド下搬送部の各折り返しローラに対する押え部材の接離の状態を示す説明図である。
【図９】本発明のさらに他の実施形態に係るライン型インクジェット記録装置における各ヘッド下搬送部の各折り返しローラに対する押え部材の接離の状態を示す説明図である。
【図１０】本発明のさらに他の実施形態に係るライン型インクジェット記録装置における各ヘッドユニットに対応した一対の折り返しローラ及び押え部材の配置を示す説明図である。
【発明を実施するための形態】
【００１４】
以下、本発明の実施形態について、図面を参照して説明する。各図面を通じて同一もしくは同等の部位や構成要素には、同一もしくは同等の符号を付している。但し、図面は模式的なものであり、現実のものとは異なることに留意すべきである。また、図面相互間においても互いの寸法の関係や比率が異なる部分が含まれていることは勿論である。
【００１５】
さらに、以下に示す実施形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００１６】
図１は本発明の一実施形態に係るライン型インクジェット記録装置の概略構成を示す説明図である。図１に示すライン型インクジェット記録装置１（以下、インクジェット記録装置１と略記する。）は、送出部２、ヘッド下搬送部３、プリンタ部４、巻取部６及び制御ユニット１０を備えている。
【００１７】
送出部２は、本実施形態では、紙管９ａに巻き付けてロール紙収容部７に軸支されたロール紙９を、張力調整用のダンサローラ２ａ及びブレーキ２ｂを介してヘッド下搬送部３に送り出す。
【００１８】
ブレーキ２ｂは、ロール紙収容部７から繰り出されたロール紙９にブレーキをかける。これにより、送出部２と後述するヘッド下搬送部３の駆動ローラ３ｃとの間のロール紙９に張力Ｔが付与される。ブレーキ２ｂのブレーキ力は、駆動ローラ３ｃによるロール紙９の搬送速度に合わせて、制御ユニット１０によって制御される。
【００１９】
ヘッド下搬送部３は、送出部２から送り出されたロール紙９を支持する折り返しローラ３ａ，３ｂと、送出部２から送り出されたロール紙９を搬送する駆動ローラ３ｃとを有している。
【００２０】
折り返しローラ３ａ，３ｂは、ロール紙９の搬送方向に間隔をおいた箇所を、うら面９ｃ側からそれぞれ支持する。そして、折り返しローラ３ａ，３ｂは、ロール紙９をそれぞれ折り返してロール紙９の向きを変える。これにより、折り返しローラ３ａ，３ｂ間のロール紙９は、おもて面９ｂがプリンタ部４に対向する向きでプリンタ部４の下方を通過する。ロール紙９のおもて面９ｂには、プリンタ部４によりに画像が印刷される。
【００２１】
なお、折り返しローラ３ａ，３ｂには、ロール紙９の搬送が停電や故障の発生等により異常停止した際に、後述する押え部材３ｄ，３ｅ（図２参照）が接触する。
【００２２】
駆動ローラ３ｃは、ロール紙９の搬送方向における折り返しローラ３ａ，３ｂの下流側に配置されている。駆動ローラ３ｃは、ロール紙収容部７からヘッド下搬送部３に送り出されるロール紙９に、プリンタ部４の下流側への搬送力を付与する。
【００２３】
駆動ローラ３ｃが搬送力を付与するロール紙９に、先に説明したブレーキ２ｂがブレーキをかけることで、折り返しローラ３ａ，３ｂ間のロール紙９に張力Ｔが加えられる。この張力Ｔにより、折り返しローラ３ａ，３ｂ間のロール紙９は、各ヘッドユニット２１、２２、２３、２４に接触せずに、安定して搬送される。
【００２４】
なお、駆動ローラ３ｃは、不図示のモータによって回転される。不図示のモータの駆動、つまり、駆動ローラ３ｃによるロール紙９の搬送は、制御ユニット１０によって制御される。
【００２５】
プリンタ部４は、ヘッドホルダ２５に保持されたＣ色（シアン）、Ｋ色（黒）、Ｍ色（マゼンタ）及びＹ色（イエロー）の４つのヘッドユニット２１、２２、２３、２４とを有している。
【００２６】
各ヘッドユニット２１、２２、２３、２４は、多数のノズル（図示せず）が設けられたノズル面をヘッド下搬送部３に対向させて配置されている。各ヘッドユニット２１、２２、２３、２４は、ロール紙９の搬送方向と直交する主走査方向にロール紙９の記録領域幅以上の幅を有するラインヘッドである。
【００２７】
巻取部６は、プリンタ部４によって画像が印刷されて駆動ローラ３ｃを通過したロール紙９を、張力調整用のダンサローラ６ａを介して弛みなく巻取ロール６ｂに巻き取る。
【００２８】
次に、ヘッド下搬送部３の折り返しローラ３ａ，３ｂとその周辺構造の詳細について、図２を参照して説明する。
【００２９】
停電や故障等が発生すると、駆動ローラ３ｃを回転させる不図示のモータが異常停止する。但し、モータの異常停止後も駆動ローラ３ｃは、慣性による回転を暫く継続する。よって、ロール紙９の搬送は、慣性による駆動ローラ３ｃの回転が停止するまで継続される。ブレーキ２ｂも駆動ローラ３ｃと同様に、駆動ローラ３ｃのモータが異常停止した後も慣性による回転を暫く継続する。
【００３０】
そして、モータの異常停止後も、慣性により駆動ローラ３ｃが回転し続けて、駆動ローラ３ｃの回転負荷とブレーキ２ｂの制動力との差が減少し、ブレーキ２ｂ及び駆動ローラ３ｃ間のロール紙９の張力Ｔが低下して、ロール紙９が途中で弛むことが考えられる。
【００３１】
ロール紙９の張力Ｔの低下でロール紙９が途中で弛むと、折り返しローラ３ａ，３ｂ間において、ロール紙９のおもて面９ｂがプリンタ部４のヘッドユニット２１、２２、２３、２４のノズル面に接触する可能性がある。
【００３２】
弛んだロール紙９がヘッドユニット２１、２２、２３、２４のノズル面に接触すると、ヘッドユニット２１、２２、２３、２４の破損や印刷不良の原因となる。
【００３３】
そこで、本実施形態では、ロール紙９の搬送が停電やインクジェット記録装置１の故障等により異常停止した際に、図２の説明図に示す押え部材３ｄ，３ｅを折り返しローラ３ａ，３ｂに接触させる。押え部材３ｄ，３ｅは、円柱状の部材で形成されている。
【００３４】
押え部材３ｄ，３ｅは、図２中の実線で示す、折り返しローラ３ａ，３ｂから離間してヘッドユニット２１、２２、２３、２４寄りに移動した箇所と、図２中の破線で示す、折り返しローラ３ａ，３ｂに接触する箇所との間を移動可能に構成されている。
【００３５】
なお、押え部材３ｄ，３ｅは、インクジェット記録装置１が正常に動作しているときには、後述するソレノイド１２（図６参照）への通電により、図２中の実線で示す折り返しローラ３ａ，３ｂから離間した箇所に配置される。
【００３６】
一方、ロール紙９の搬送が停電や故障の発生等により異常停止した際には、ソレノイド１２（図６参照）への通電が停止され、押え部材３ｄ，３ｅは、図２中の破線で示す折り返しローラ３ａ，３ｂに接触する箇所に自重で移動する。
【００３７】
このとき、ロール紙９の搬送方向におけるプリンタ部４の上流側の折り返しローラ３ａに対応する押え部材３ｄは、図３の説明図に示す折り返しローラ３ａ，３ｂから離間した箇所から、図４の説明図に示すように、折り返しローラ３ａの周面の接線方向から折り返しローラ３ａに接近して接触する。
【００３８】
また、ロール紙９の搬送方向におけるプリンタ部４の下流側の折り返しローラ３ｂに対応する押え部材３ｅは、折り返しローラ３ｂにその周面の法線方向から接近し接触する。
【００３９】
図５は、押え部材３ｄ，３ｅが対応する折り返しローラ３ａ，３ｂに接触した状態を示す説明図である。
【００４０】
押え部材３ｄ，３ｅは、折り返しローラ３ａ，３ｂの軸方向長さと同じ長さを有している。押え部材３ｄ，３ｅの両端に形成された大径の圧接部３ｆは、対応する折り返しローラ３ａ，３ｂと接触する図４の位置に移動した際に、折り返しローラ３ａ，３ｂのロール紙９が巻回されていない周面の露出部分に圧接される。また、両圧接部３ｆ間に間隔をおいて形成された複数の圧接部３ｇは、折り返しローラ３ａ，３ｂに巻回されたロール紙９のおもて面９ｂに圧接される。
【００４１】
したがって、押え部材３ｄ，３ｅは、圧接部３ｆが圧接した折り返しローラ３ａ，３ｂの回転を規制すると共に、圧接部３ｇが圧接したロール紙９を折り返しローラ３ａ，３ｂと共にニップする。
【００４２】
ここで、ロール紙９の搬送方向におけるプリンタ部４の上流側の折り返しローラ３ａには、プリンタ部４によっておもて面９ｂに画像が印刷される前のロール紙９が巻回されている。そして、折り返しローラ３ａの露出した周面や折り返しローラ３ａに巻回されたロール紙９のおもて面９ｂには、折り返しローラ３ａの周面の接線方向から押え部材３ｄが圧接される。
【００４３】
このため、押え部材３ｄの圧接部３ｆが接線方向から周面に圧接した折り返しローラ３ａは、図４に示すように、押え部材３ｄの圧接部３ｆとの接触抵抗により、図中反時計回り方向に回転する。
【００４４】
このとき、折り返しローラ３ａに圧接部３ｆが圧接した押え部材３ｄは、折り返しローラ３ａの周面に接触したまま、周面の接線方向に自重で移動する。このため、折り返しローラ３ａに巻回されたロール紙９は、押え部材３ｄの圧接部３ｆと折り返しローラ３ａとでニップされる。そして、折り返しローラ３ａが上述のように回転すると、ニップされたロール紙９は、ロール紙収容部７への巻き戻し方向に移動する。
【００４５】
一方、ロール紙９の搬送方向におけるプリンタ部４の下流側の折り返しローラ３ｂには、プリンタ部４によっておもて面９ｂに画像が印刷された後のロール紙９が巻回されている。そして、折り返しローラ３ａの露出した周面や折り返しローラ３ａに巻回されたロール紙９のおもて面９ｂには、図２中の破線で示すように、折り返しローラ３ａの周面の法線方向から押え部材３ｅが圧接される。
【００４６】
このため、押え部材３ｅの圧接部３ｆが法線方向から周面に圧接した折り返しローラ３ｂは、圧接部３ｆの圧接により回転を規制される。
【００４７】
このとき、折り返しローラ３ｂに巻回されたロール紙９は、押え部材３ｅの圧接部３ｇと折り返しローラ３ｂとでニップされる。そして、折り返しローラ３ｂの回転が上述のように規制されると、ニップされたロール紙９は、搬送方向に沿った移動を規制される。
【００４８】
このように、ロール紙９が折り返しローラ３ａの回転によりロール紙収容部７への巻き戻し方向に移動し、かつ、折り返しローラ３ｂによりロール紙９の搬送方向への移動が規制されると、折り返しローラ３ａ，３ｂ間のロール紙９が折り返しローラ３ａから引っ張られる。
【００４９】
これにより、折り返しローラ３ａ，３ｂ間のロール紙９の張力Ｔが、駆動ローラ３ｃのモータが異常停止する前の大きさ又はそれに近い大きさに維持される。したがって、折り返しローラ３ａ，３ｂ間のロール紙９が弛みなく緊張した状態に保持される。
【００５０】
図６はインクジェット記録装置１の制御系の構成を示すブロック図である。図６に示すように、制御ユニット１０は、ＣＰＵ９０と、ＣＰＵ９０のワーキングエリアとして機能するＲＡＭ９２と、各種ファームウェアやデータの格納に用いられる外部記憶装置９３とが設けられている。
【００５１】
また、制御ユニット１０には、外部インタフェース部１１を介して、ＰＣ（パーソナルコンピュータ）等によって構成されるクライアント端末３０が接続されている。制御ユニット１０は、印刷ジョブをクライアント端末３０から受け取り、受け取った印刷ジョブの画像のロール紙９に対する印刷が行われるように、送出部２、ヘッド下搬送部３、プリンタ部４及び巻取部６等の動作を制御する。
【００５２】
なお、制御ユニット１０のＣＰＵ９０には、操作パネル１９が接続されている。操作パネル１９は、ディスプレイと操作ボタン類（いずれも図示せず）を有しており、インクジェット記録装置１の各種状態の表示や各種入力等を操作パネル１９において行うことができる。
【００５３】
また、インクジェット記録装置１が正常に動作している間、折り返しローラ３ａ，３ｂの位置を、図２中の実線で示す、折り返しローラ３ａ，３ｂから離間してヘッドユニット２１、２２、２３、２４寄りに移動した箇所に保持するソレノイド１２も、制御ユニット１０のＣＰＵ９０に接続されている。
【００５４】
次に、制御ユニット１０のＣＰＵ９０がＲＯＭ９１に記憶されたプログラムを実行することにより行う、ロール紙９の弛み防止に関する処理について、図７のフローチャートを参照して説明する。
【００５５】
なお、ＣＰＵ９０は、インクジェット記録装置１の電源投入時にソレノイド１２をオンさせている。このため、印刷動作の開始時にソレノイド１２は既にオンされており、押え部材３ｄ，３ｅは、図２中の実線で示す、折り返しローラ３ａ，３ｂから離間した箇所に保持されている。
【００５６】
図７に示すように、ＣＰＵ９０は、まず、クライアント端末３０から印刷ジョブが入力されたか否かを確認する（ステップＳ１）。入力されていない場合は（ステップＳ１でＮＯ）、入力されるまで待機し、入力された場合は（ステップＳ１でＹＥＳ）、ＣＰＵ９０は、入力された印刷ジョブによる印刷動作を開始する（ステップＳ３）。
【００５７】
印刷動作の開始では、ＣＰＵ９０は、駆動ローラ３ｃ等によるロール紙９の搬送を開始させ、また、プリンタ部４によるロール紙９のおもて面９ｂに対する画像の印刷を開始させる。
【００５８】
そして、ＣＰＵ９０は、インクジェット記録装置１に緊急事態が発生したか否かを確認する（ステップＳ５）。緊急事態としては、例えば、ロール紙９の蛇行やジャム等の搬送系の故障が生じたり、電気系統に異常が生じて、ロール紙９の搬送を緊急停止させる必要が生じた場合が挙げられる。
【００５９】
インクジェット記録装置１に緊急事態が発生していない場合は（ステップＳ５でＮＯ）、ＣＰＵ９０は、印刷ジョブによる印刷動作が終了したか否かを確認する（ステップＳ７）。
【００６０】
印刷動作が終了していない場合は（ステップＳ７でＮＯ）、ステップＳ５にリターンし、印刷動作が終了した場合は（ステップＳ７でＹＥＳ）、ＣＰＵ９０は、駆動ローラ３ｃ等によるロール紙９の搬送を正常に停止（通常停止）させた後（ステップＳ９）、一連の処理を終了する。
【００６１】
また、インクジェット記録装置１に緊急事態が発生した場合は（ステップＳ５でＹＥＳ）、ＣＰＵ９０は、印刷動作を緊急停止させて、ソレノイド１２の通電をオフさせた後（ステップＳ１１）、一連の処理を終了する。
【００６２】
なお、ソレノイド１２の通電は、インクジェット記録装置１が停電により電源をなくし、制御ユニット１０の制御によってソレノイド１２の通電を維持できなくなった場合にも、停止される。
【００６３】
このように構成された本実施形態のインクジェット記録装置１では、正常動作中には、図２の実線で示すように、押え部材３ｄ，３ｅが折り返しローラ３ａ，３ｂから離間した位置に配置される。このとき、駆動ローラ３ｃにより送出部２から巻取部６に搬送される折り返しローラ３ａ，３ｂ間のロール紙９には、ブレーキ２ｂによるブレーキがかけられて張力Ｔが生じている。よって、折り返しローラ３ａ，３ｂ間のロール紙９が弛みなく緊張した状態に保持される。
【００６４】
一方、異常発生時や停電時には、図２の破線で示すように、押え部材３ｄ，３ｅが折り返しローラ３ａ，３ｂに圧接される位置に配置される。そして、押え部材３ｅにより回転が規制された折り返しローラ３ｂと押え部材３ｅとによって、ロール紙９の搬送方向におけるプリンタ部４の下流側のロール紙９がニップされる。このため、ニップされたロール紙９の搬送方向への移動が規制される。
【００６５】
また、押え部材３ｄにより折り返しローラ３ａが反時計回り方向に回転され、かつ、回転する折り返しローラ３ａと押え部材３ｄとによって、ロール紙９の搬送方向におけるプリンタ部４の上流側のロール紙９がニップされる。このため、ニップされたロール紙９がロール紙収容部７への巻き戻し方向に移動される。
【００６６】
したがって、異常発生時や停電時にも、折り返しローラ３ａ，３ｂ間のロール紙９の張力Ｔが、駆動ローラ３ｃのモータが異常停止する前の大きさ又はそれに近い大きさに維持される。したがって、折り返しローラ３ａ，３ｂ間のロール紙９が弛みなく緊張した状態に保持される。
【００６７】
よって、インクジェット記録装置１の正常動作中と異常発生中又は停電時とを問わず、折り返しローラ３ａ，３ｂ間のロール紙９のおもて面９ｂが、プリンタ部４のヘッドユニット２１、２２、２３、２４のノズル面に接触しにくくなる。
【００６８】
このため、ロール紙９がヘッドユニット２１、２２、２３、２４のノズル面に接触して、ヘッドユニット２１、２２、２３、２４の破損や印刷不良の原因となることを、抑制することができる。
【００６９】
また、インクジェット記録装置１の異常発生によりソレノイド１２の通電が停止されて、ロール紙９の画像が印刷されるおもて面９ｂに押え部材３ｄ，３ｅが接触しても、接触した押え部材３ｄ，３ｅ（の圧接部３ｇ）はおもて面９ｂ上で摺動しない。
【００７０】
したがって、インクジェット記録装置１の異常発生中の押え部材３ｄ，３ｅの移動により、ロール紙９のおもて面９ｂ上のインクがロール紙９から押え部材３ｄ，３ｅに付着し、さらに押え部材３ｄ，３ｅからロール紙９のおもて面９ｂに再付着して、おもて面９ｂの画像の画質を劣化させることも、抑制することができる。
【００７１】
なお、上述した実施形態では、インクジェット記録装置１の異常発生又は停電に伴い、押え部材３ｅの圧接部３ｆが、折り返しローラ３ｂの周面や折り返しローラ３ｂに巻回されたロール紙９のおもて面９ｂに法線方向から圧接する構成とした。
【００７２】
しかし、インクジェット記録装置１の異常発生又は停電に伴い、押え部材３ｅの圧接部３ｆが、折り返しローラ３ｂの周面や折り返しローラ３ｂに巻回されたロール紙９のおもて面９ｂに接線方向から圧接する構成としてもよい。
【００７３】
その場合、押え部材３ｄの圧接部３ｆは、図８の説明図に示すように、折り返しローラ３ａの周面や折り返しローラ３ａに巻回されたロール紙９のおもて面９ｂに法線方向から圧接する構成としてもよい。あるいは、図９の説明図に示すように、押え部材３ｄの圧接部３ｆも、折り返しローラ３ａの周面や折り返しローラ３ａに巻回されたロール紙９のおもて面９ｂに法線方向から圧接する構成としてもよい。
【００７４】
そして、押え部材３ｅの圧接部３ｆが、折り返しローラ３ｂの周面や折り返しローラ３ｂに巻回されたロール紙９のおもて面９ｂに接線方向から圧接する構成とすると、図８や図９に示すように、折り返しローラ３ｂは、押え部材３ｅの圧接部３ｆとの接触抵抗により、折り返しローラ３ａとは反対に、図中時計回り方向に回転する。
【００７５】
このとき、折り返しローラ３ｂに圧接部３ｆが圧接した押え部材３ｅは、折り返しローラ３ｂの周面に接触したまま、周面の接線方向に自重で移動する。このため、折り返しローラ３ｂに巻回されたロール紙９は、押え部材３ｅの圧接部３ｆと折り返しローラ３ｂとでニップされる。そして、折り返しローラ３ｂが上述のように回転すると、ニップされたロール紙９は、ヘッド下搬送部３への送り出し方向に移動する。
【００７６】
このように、ロール紙９が折り返しローラ３ａの回転によりロール紙収容部７への巻き戻し方向に移動し、ロール紙９が折り返しローラ３ｂの回転によりヘッド下搬送部３への送り出し方向に移動すると、折り返しローラ３ａ，３ｂ間のロール紙９が折り返しローラ３ｂから引っ張られる（図８）。あるいは、折り返しローラ３ａ，３ｂの両方から引っ張られる（図９）。
【００７７】
これにより、折り返しローラ３ａ，３ｂ間のロール紙９の張力Ｔが、駆動ローラ３ｃのモータが異常停止する前の大きさ又はそれに近い大きさに維持される。したがって、折り返しローラ３ａ，３ｂ間のロール紙９が弛みなく緊張した状態に保持される。
【００７８】
このように構成した実施形態のインクジェット記録装置１によっても、先に説明した実施形態のインクジェット記録装置１と同様の効果を得ることができる。
【００７９】
さらに、インクジェット記録装置１の異常発生又は停電に伴い、押え部材３ｄ，３ｅが両方とも、折り返しローラ３ａ，３ｂの周面や折り返しローラ３ａ，３ｂに巻回されたロール紙９のおもて面９ｂに法線方向から圧接する構成としてもよい。
【００８０】
また、図２及び図８を参照して説明した実施形態において、２つの押え部材３ｄ，３ｅのうちどちらか一方を省略してもよい。
【００８１】
これらの構成によっても、連続紙の搬送の異常停止時における折り返しローラ３ａ，３ｂ間のロール紙９の弛みを抑制して、プリンタ部４のヘッドユニット２１、２２、２３、２４のノズル面にロール紙９が接触するのを抑制することができる。
【００８２】
なお、上述した実施形態では、インクジェット記録装置１が送出部２及び巻取部６を備える構成として説明したが、インクジェット記録装置に対して外部装置として連続紙の送出装置及び巻取装置が接続された構成でもよい。
【００８３】
また、上述した実施形態では、ヘッド下搬送部３の折り返しローラ３ａ，３ｂと押え部材３ｄ，３ｅとを、４つのヘッドユニット２１、２２、２３、２４の全体に対応して一組ずつ設けるものとした。しかし、図１０の説明図に示すように、各ヘッドユニット２１、２２、２３、２４のそれぞれに対応して、折り返しローラ３ａ，３ｂと押え部材３ｄ，３ｅとを一組ずつ折り返しローラ３ａ，３ｂを設ける構成としてもよい。
【００８４】
その場合には、各組の折り返しローラ３ａ，３ｂの間に、対応するヘッドユニット２１、２２、２３、２４のノズル面に対して折り返しローラ３ａ，３ｂよりも下方に離れた箇所に、中継用のガイドローラ３ｈをそれぞれ設ければよい。ガイドローラ３ｈを設けることで、各組の折り返しローラ３ａ，３ｂ間のロール紙９に張力を持たせることができる。
【００８５】
さらに、上述した実施形態では、画像形成装置としてインクジェット記録装置１を用いた場合を例に取って説明した。しかし、本発明はインクジェット方式に限らず、電子写真方式、サーマルヘッド方式、孔版印刷方式等のインクジェット方式以外の方式によるプリンタを画像形成装置とする場合にも、広く適用することができる。
【００８６】
また、本発明は上記の実施形態そのままに限定されるものではなく、実施段階ではその要旨を逸脱しない範囲で構成要素を変形して具体化できる。また、上記の実施形態に開示されている複数の構成要素の適宜な組み合せにより、種々の発明を形成できる。例えば、実施形態に示される全構成要素から幾つかの構成要素を削除してもよい。
【００８７】
なお、電子写真方式や孔版印刷方式の画像形成装置に本発明を適用する場合は、転写ドラムの近傍に、ロール紙９を挟んで、ロール紙９のおもて面９ｂ側に押え部材３ｄ，３ｅを配置し、ロール紙９のうら面９ｃ側に折り返しローラ３ａ，３ｂを配置する。
【００８８】
また、サーマルヘッド方式の画像形成装置に本発明を適用する場合は、サーマルヘッドの近傍に、ロール紙９を挟んで、ロール紙９のおもて面９ｂ側に押え部材３ｄ，３ｅを配置し、ロール紙９のうら面９ｃ側に折り返しローラ３ａ，３ｂを配置する。
【００８９】
このように配置した押え部材３ｄ，３ｅを、停電や故障の発生等によりロール紙９の搬送が異常停止した際に、対応する折り返しローラ３ａ，３ｂに接近、接触させることで、上述した実施形態のインクジェット記録装置１と同様の効果を得ることができる。
【００９０】
そして、以上に説明した実施形態によって、以下に示す各態様の発明が開示される。
【００９１】
まず、第１の態様による発明として、
連続紙（例えば、図１のロール紙）の一方の面（例えば、図１のおもて面９ｂ）に画像を印刷する画像形成部（例えば、図１のプリンタ部４）と、
前記連続紙の搬送方向に前記画像形成部を挟んで所定間隔（例えば、図１の駆動ローラ３ｃのモータの正常動作中における折り返しローラ３ａ，３ｂの間隔）を置いた２か所を、ぞれぞれ前記連続紙の他面側（例えば、図１のうら面９ｃ）から支持しながら前記連続紙を搬送させる２つのローラ（例えば、図１の折り返しローラ３ａ，３ｂ）と、
前記連続紙の搬送が停止した場合に、前記２つのローラのうち少なくとも１つのローラ（例えば、図２の折り返しローラ３ａ、図８の折り返しローラ３ｂ、図９の折り返しローラ３ａ，３ｂ）と共に前記連続紙をニップした後、該連続紙のニップした箇所が前記２つのローラのうち他の１つのローラ（例えば、図２の折り返しローラ３ｂ、図８の折り返しローラ３ａ、図９の折り返しローラ３ｂ，３ａ）から離間する少なくとも１つの可動ニップ部（例えば、図２の押え部材３ｄ、図８の押え部材３ｅ、図９の押え部材３ｄ，３ｅ）と、
を備える画像形成装置（例えば、図１のライン型インクジェット記録装置１）が開示される。
【００９２】
そして、第１の態様による発明のインクジェット記録装置によれば、停電や故障の発生により連続紙の搬送が停止（異常停止）されると、２つのローラのうち少なくとも１つのローラと共に可動ニップ部が連続紙をニップし、その箇所が、連続紙における他の１つのローラに支持された箇所から離間するように可動ニップ部が変位する。
【００９３】
このため、連続紙の搬送の異常停止により２つのローラ間の連続紙に付与される張力が搬送中よりも低下しても、連続紙を可動ニップ部と共にニップする１つのローラの回転により、１つのローラに支持された部分の連続紙に、もう１つのローラに支持された部分から離間する向きの力が付与される。よって、連続紙の搬送の異常停止後にも、２つのローラ間の連続紙に可動ニップ部のニップ箇所から引っ張り力が付与されて、連続紙の搬送の異常停止により一対のローラ間の連続紙に弛みが生じることが抑制される。
【００９４】
したがって、連続紙の搬送が異常停止しても、それに伴い連続紙が撓んで画像形成部に接触することが防止される。また、２つのローラのうち少なくとも１つのローラと共に連続紙をニップする可動ニップ部に、画像形成部に接触した連続紙の一方の面からインクが付着し、そのインクが可動ニップ部から連続紙の一方の面に再付着して画像の画質を劣化させることが抑制される。
【００９５】
また、連続紙の搬送の異常停止により１つのローラに接近して連続紙をニップした可動ニップ部は、２つのローラのうち少なくとも１つのローラと共に連続紙をニップしたまま、連続紙のニップ箇所を２つのローラのうち他の１つのローラから離間させる。よって、連続紙の画像が印刷される一方の面に可動ニップ部が接触しても、連続紙の１つの面上を可動ニップ部が摺動することはない。
【００９６】
したがって、１つのローラと共に可動ニップ部が連続紙をニップしたまま、連続紙のニップ箇所を２つのローラのうち他の１つのローラから離間させても、それに伴い連続紙の一方の面上で可動ニップ部が摺動して画像のインクを滲ませることが抑制される。また、可動ニップ部に連続紙の一方の面から画像のインクが付着してそのインクが可動ニップ部から連続紙の一方の面に再付着したりして、連続紙の画像の画質を劣化させることが抑制される。
【００９７】
よって、連続紙の搬送の異常停止時に連続紙の画像形成部への接触を防ぐと共に、連続紙の画像形成部への接触を防ぐ際に、連続紙からのインクの付着や、付着したインクの連続紙への再付着を抑制することができる。
【００９８】
次に、第２の態様による発明として、
連続紙（例えば、図１のロール紙）の一方の面（例えば、図１のおもて面９ｂ）に画像を印刷する画像形成部（例えば、図１のプリンタ部４）と、
前記連続紙の搬送方向に前記画像形成部を挟んで所定間隔（例えば、図１の駆動ローラ３ｃのモータの正常動作中における折り返しローラ３ａ，３ｂの間隔）を置いた２か所を、ぞれぞれ前記連続紙の他面側（例えば、図１のうら面９ｃ）から支持しながら前記連続紙を搬送させる２つのローラ（例えば、図１の折り返しローラ３ａ，３ｂ）と、
前記連続紙の搬送が停止した場合に、前記連続紙の搬送方向に直交する方向（例えば、図２の折り返しローラ３ｂの法線方向）から前記連続紙に接触し、前記２つのローラのうち少なくとも１つのローラ（例えば、図２の折り返しローラ３ｂ、図８の折り返しローラ３ａ、図９の折り返しローラ３ｂ，３ａ）と共に前記連続紙をニップして、該連続紙のニップ箇所に静置される静置ニップ部（例えば、図２の押え部材３ｅ、図８の押え部材３ｄ）と、
を備える画像形成装置（例えば、図１のライン型インクジェット記録装置１）が開示される。
【００９９】
そして、第２の態様による発明のインクジェット記録装置によれば、停電や故障の発生により連続紙の搬送が停止（異常停止）されると、２つのローラのうち少なくとも１つのローラと共に静置ニップ部が連続紙をニップする。静置ニップ部は、連続紙をニップした後も同じ位置に静置されるので、搬送停止後の連続紙は、静置ニップ部と１つのローラとによるニップ箇所において停止される。
【０１００】
このため、連続紙の搬送の異常停止により２つのローラ間の連続紙に付与される張力が搬送中よりも低下しても、慣性による連続紙の搬送が静置ニップ部と１つのローラとのニップ箇所で停止されるので、２つのローラ間における連続紙の張力低下が食い止められる。
【０１０１】
したがって、連続紙の搬送が異常停止しても、それに伴い連続紙が撓んで画像形成部に接触することが防止される。また、２つのローラのうち少なくとも１つのローラと共に連続紙をニップする静置ニップ部に、画像形成部に接触した連続紙の一方の面からインクが付着し、そのインクが可動ニップ部から連続紙の一方の面に再付着して画像の画質を劣化させることが抑制される。
【０１０２】
また、連続紙の搬送の異常停止により静置ニップ部が連続紙をニップする際に、静置ニップ部は連続紙の搬送方向と直交する方向から連続紙に接触し、１つのローラと共に連続紙をニップした位置で静置される。よって、連続紙の画像が印刷される一方の面に静置ニップ部が接触しても、連続紙の１つの面上を静置ニップ部が摺動することはない。
【０１０３】
したがって、１つのローラと共に静置ニップ部が連続紙をニップしたまま、連続紙のニップ箇所に静置されても、それに伴い連続紙の一方の面上で静置ニップ部が摺動して画像のインクを滲ませることが抑制される。また、静置ニップ部に連続紙の一方の面から画像のインクが付着してそのインクが静置ニップ部から連続紙の一方の面に再付着したりして、連続紙の画像の画質を劣化させることが抑制される。
【０１０４】
よって、連続紙の搬送の異常停止時に連続紙の画像形成部への接触を防ぐと共に、連続紙の画像形成部への接触を防ぐ際に、連続紙からのインクの付着や、付着したインクの連続紙への再付着を抑制することができる。
【０１０５】
続いて、第３の態様による発明として、
連続紙（例えば、図１のロール紙）の一方の面（例えば、図１のおもて面９ｂ）に画像を印刷する画像形成部（例えば、図１のプリンタ部４）と、
前記連続紙の搬送方向に前記画像形成部を挟んで所定間隔（例えば、図１の駆動ローラ３ｃのモータの正常動作中における折り返しローラ３ａ，３ｂの間隔）を置いた２か所を、ぞれぞれ前記連続紙の他面側（例えば、図１のうら面９ｃ）から支持しながら前記連続紙を搬送させる２つのローラ（例えば、図１の折り返しローラ３ａ，３ｂ）と、
前記連続紙の搬送が停止した場合に、前記２つのローラのうち１つのローラ（例えば、図２の折り返しローラ３ａ、図８の折り返しローラ３ｂ、図９の折り返しローラ３ａ，３ｂ）と共に前記連続紙をニップした後、該連続紙のニップした箇所が前記２つのローラのうち他の１つのローラ（例えば、図２の折り返しローラ３ｂ、図８の折り返しローラ３ａ、図９の折り返しローラ３ｂ，３ａ）から離間する少なくとも１つの可動ニップ部（例えば、図２の押え部材３ｄ、図８の押え部材３ｅ、図９の押え部材３ｄ，３ｅ）と、
前記連続紙の搬送が停止した場合に、前記連続紙の搬送方向に直交する方向（例えば、図２の折り返しローラ３ｂの法線方向）から前記連続紙に接触し、前記他の１つのローラ（例えば、図２の折り返しローラ３ｂ、図８の折り返しローラ３ａ、図９の折り返しローラ３ｂ，３ａ）と共に前記連続紙をニップして、該連続紙のニップ箇所に静置される静置ニップ部（例えば、図２の押え部材３ｅ、図８の押え部材３ｄ）と、
を備える画像形成装置（例えば、図１のライン型インクジェット記録装置１）が開示される。
【０１０６】
そして、第３の態様による発明の画像形成装置によれば、第１の態様による発明の画像形成装置及び第２の態様による発明の画像形成装置でそれぞれ得られる効果を同時に得ることができる。
【０１０７】
また、静置ニップ部が他の１つのローラと共に連続紙をニップした状態で、可動ニップ部が１つのローラと共に連続紙をニップした後、可動ニップ部と１つのローラとによる連続紙のニップ箇所が他の１つのローラから離間するので、可動ニップ部のニップ箇所と静置ニップ部のニップ箇所との間で連続紙が引っ張られる。
【０１０８】
このため、連続紙の搬送が異常停止したときに、２つのローラ間の連続紙に搬送中と遜色のない大きさの張力を確実に付与することができる。
【０１０９】
次に、第２の態様による発明として、前記第１のニップ部は、前記２つのローラのうち他の１つのローラ（例えば、図９の折り返しローラ３ｂ）と共に前記連続紙をニップした後に回転する画像形成装置が開示される。
【０１１０】
そして、第２の態様による発明の画像形成装置によれば、連続紙の搬送が異常停止したときに、２つのローラのうち他の１つのローラと共に第２のニップ部が連続紙をニップした後に、少なくとも１つのローラと共に連続紙をニップした第１のニップ部が、ニップした連続紙と共に一方のローラを、連続紙における他の１つのローラが支持する箇所から離間するように回転させる。
【０１１１】
このため、２つのローラのうち他の１つのローラが支持する箇所の連続紙を第２のニップ部とのニップで固定した状態で、１つのローラが支持して第１のニップ部とニップしている箇所の連続紙を、第１のローラの回転により他の１つのローラから離間させるようにし、２つのローラ間の連続紙に張力が確実に加わるようにすることができる。
【０１１２】
続いて、第３の態様による発明として、前記第２のニップ部は、前記連続紙の搬送が停止した場合に、前記連続紙の搬送方向に直交する方向（例えば、図２の折り返しローラ３ｂの法線方向）から、前記連続紙を前記他方のローラと共に挟み込む画像形成装置が開示される。
【０１１３】
そして、第３の態様による発明の画像形成装置によれば、他方のローラが支持する連続紙の一方の面には、印刷部において画像が形成されている。したがって、第２のニップ部が接触する連続紙の一方の面には、印刷部で印刷された画像が形成されている。
【０１１４】
印刷部で印刷された画像が形成された連続紙の一方の面に第２のニップ部が連続紙の搬送方向と直交する方向から接触することで、第２のニップ部は連続紙の一方の面上で静止する。つまり、他方のローラの周面に沿って第２のニップ部が連続紙の一方の面上を摺動することはない。
【０１１５】
また、第２のニップ部が連続紙をニップしたまま他方のローラを回転させて、連続紙の一方の面上における第２のニップ部の接触箇所が移動することもない。このため、第２のニップ部の接触で連続紙上の画像の画質が劣化するのを防ぐことができる。
【符号の説明】
【０１１６】
１  ライン型インクジェット記録装置（画像形成装置）
２  送出部
２ａ，６ａ  ダンサローラ
２ｂ  ブレーキ
３  ヘッド下搬送部
３ａ  折り返しローラ（２つのローラ、少なくとも１つのローラ）
３ｂ  折り返しローラ（２つのローラ、少なくとも１つのローラ、他の１つのローラ）
３ｃ  駆動ローラ
３ｄ  押え部材（第１のニップ部）
３ｅ  押え部材（第１のニップ部、第２のニップ部）
３ｆ，３ｇ…圧接部
３ｈ  ガイドローラ
４  プリンタ部（画像形成部）
６  巻取部
６ｂ  巻取ロール
７  ロール紙収容部
９  ロール紙（連続紙）
９ａ  紙管
９ｂ  ロール紙おもて面（連続紙の一方の面）
９ｃ  ロール紙うら面（連続紙の他方の面）
１０  制御ユニット
１１  外部インタフェース部
１２  ソレノイド
１９  操作パネル
２１  Ｃ色ヘッドユニット
２２  Ｋ色ヘッドユニット
２３  Ｍ色ヘッドユニット
２４  Ｙ色ヘッドユニット
２５  ヘッドホルダ
３０  クライアント端末
９０  ＣＰＵ
９１  ＲＯＭ
９２  ＲＡＭ
９３  外部記憶装置
Ｓ  コイルばねの弾発力
Ｔ  ロール紙の張力
【図１】
2019177506.tif 000003
【図２】
2019177506.tif 000004
【図３】
2019177506.tif 000005
【図４】
2019177506.tif 000006
【図５】
2019177506.tif 000007
【図６】
2019177506.tif 000008
【図７】
2019177506.tif 000009
【図８】
2019177506.tif 000010
【図９】
2019177506.tif 000011
【図１０】
2019177506.tif 000012